(57)【要約】【課題】  用土及び施肥を必要とせず良好な排水性で根腐れが生じにくく、しかも製造が迅速に行えるとともに様々な形状の組み合わせを低コストで可能とする緑化ブロックの製造方法を提供する。【解決手段】  木質炭化物細片２ｂを骨材としたコンクリート材料を所要量の水と混練して型枠に注入して植物の根が進入できる空隙を備えた炭入りコンクリートブロック２を成型し、通水した水を排水させる所定深さの排水溝５ａを下面に備えたコンクリートブロック５を炭入りコンクリートブロック２とは別に成型し、炭入りコンクリートブロック２とコンクリートブロック５を接着剤で貼り合わせて一体化する。【選択図】図１
2007222109.tif 000002
【特許請求の範囲】
【請求項１】
植物を着生させる２層構造の緑化ブロックの製造方法であって、木質炭化物細片を骨材としたコンクリート材料を所要量の水と混練して型枠に注入して植物の根が進入できる空隙を備えた炭入りコンクリートブロックを成型し、通水した水を排水させる所定深さの排水溝を下面に備えたコンクリートブロックを炭入りコンクリートブロックとは別に成型し、炭入りコンクリートブロックとコンクリートブロックを接着剤で貼り合わせて一体化して製造することを特徴とする、緑化ブロックの製造方法。
【請求項２】
型枠にコンクリートを注入した後、上方から加圧振動をかけてコンクリートを締め固めるように成型した、請求項１記載の緑化ブロックの製造方法。
【請求項３】
炭入りコンクリートブロックとコンクリートブロックを貼り合わせる際、炭入りコンクリートブロックの上面又はコンクリートブロックの下面あるいは両面から加振して振動により接着剤の行き渡りや浸透を促進させるようにした、請求項１又は２記載の緑化ブロックの製造方法。
【請求項４】
炭入りコンクリートブロックの上面に植物を植栽させる用土を収容するための凹所を複数設けるように成型した、請求項１〜３いずれか記載の緑化ブロックの製造方法。
【請求項５】
炭入りコンクリートブロックの上面にポットを収容するための凹所を複数設けるように成型した、請求項１〜３いずれか記載の緑化ブロックの製造方法。
【請求項６】
炭入りコンクリートブロック及びコンクリートブロックのコンクリート材料が、アルミナセメント・ポルトランドセメント・発泡コンクリートのいずれか又はこれらの組合せにシリカヒューム・ジルコニアを混入して構成されたものである、請求項１〜５いずれか記載の緑化ブロックの製造方法。
【発明の詳細な説明】
【技術分野】
【０００１】
本発明は、コンクリートに木質炭化物を混合して植物を着生させやすくした緑化ブロックの製造方法に関する。
【背景技術】
【０００２】
従来、コンクリートに木質炭化物を混合した緑化ブロックが特許文献１に開示されている。この技術は、セメント１００重量部に対して木質炭化物１０重量部以上を配合したものに水を混練して硬化させた炭入りコンクリートブロックの表面に用土を収容するための凹部又は貫通孔を複数設けた構造を特徴とするものである。ところで、この技術は用土を使用するから施肥を必要としてコストがかかるとともに用土が雨水等により流出する問題があり、コンクリートブロックの下面が平滑で防根層が無いからコンクリートブロックの下方まで伸びた根がコンクリートブロックの下方で滞留する湿気により根腐れしやすく植物の成長を阻害する問題があった。
【０００３】
これに対し、木質炭化物細片を骨材とした植物の根が進入できる空隙を有する炭入りコンクリートの下面に通水性を有し且つ植物の根が進入できないコンクリートを積層し、下層のコンクリートの下面に通水した水を排水させる所定深さの排水溝を形成した緑化ブロックが特許文献２で提案されており、用土及び施肥を必要とせず、良好な排水性で根腐れが生じにくいという効果を奏するものである。しかしながら、この技術は上層の炭入りコンクリートと下層のコンクリートの材料を一つの型枠に順に投入して層を成すように同時に成型するものであるから、製造に時間を要するとともに上層と下層の組み合わせが限られたものになり、他の形状のブロックを製造する場合は別途型枠を用いて上層と下層の両方を新たに製作する必要がありコストがかかるものであった。
【特許文献１】特開２００２−１９１２３５号公報
【特許文献２】特開２００５−１４３３２６号公報
【発明の開示】
【発明が解決しようとする課題】
【０００４】
本発明が解決しようとする課題は、従来のこれらの問題点を解消し、用土及び施肥を必要とせず良好な排水性で根腐れが生じにくく、しかも製造が迅速に行えるとともに様々な形状の組み合わせを低コストで可能にする緑化ブロックの製造方法を提供することにある。
【課題を解決するための手段】
【０００５】
かかる課題を解決した本発明の構成は、
１）  植物を着生させる２層構造の緑化ブロックの製造方法であって、木質炭化物細片を骨材としたコンクリート材料を所要量の水と混練して型枠に注入して植物の根が進入できる空隙を備えた炭入りコンクリートブロックを成型し、通水した水を排水させる所定深さの排水溝を下面に備えたコンクリートブロックを炭入りコンクリートブロックとは別に成型し、炭入りコンクリートブロックとコンクリートブロックを接着剤で貼り合わせて一体化して製造することを特徴とする、緑化ブロックの製造方法
２）  型枠にコンクリートを注入した後、上方から加圧振動をかけてコンクリートを締め固めるように成型した、１）記載の緑化ブロックの製造方法
３）  炭入りコンクリートブロックとコンクリートブロックを貼り合わせる際、炭入りコンクリートブロックの上面又はコンクリートブロックの下面あるいは両面から加振して振動により接着剤の行き渡りや浸透を促進させるようにした、１）又は２）記載の緑化ブロックの製造方法
４）  炭入りコンクリートブロックの上面に植物を植栽させる用土を収容するための凹所を複数設けるように成型した、１）〜３）いずれか記載の緑化ブロックの製造方法
５）  炭入りコンクリートブロックの上面にポットを収容するための凹所を複数設けるように成型した、１）〜３）いずれか記載の緑化ブロックの製造方法
６）  炭入りコンクリートブロック及びコンクリートブロックのコンクリート材料が、アルミナセメント・ポルトランドセメント・発泡コンクリートのいずれか又はこれらの組合せにシリカヒューム・ジルコニアを混入して構成されたものである、１）〜５）いずれか記載の緑化ブロックの製造方法
にある。
【発明の効果】
【０００６】
本発明によれば、木質炭化物細片により適度な空隙が形成され、植物の根が着生しやすくなって用土を省略できるとともに、木質炭化物細片に含有する養分が根に直接供給され、施肥も特段必要とせず植栽のコストを低減できる。また、コンクリートブロックが防根するとともに通水又は隣接するブロック同士の隙間から流れ落ちた余剰の水が下面の排水溝で確実に排水され、湿気の滞留を抑制して根腐れを効果的に防止する。また、適度な保水性により温度上昇を抑制し、設置面に対する断熱効果でヒートアイランド現象を低減することができる。また、炭入りコンクリートブロックとコンクリートブロックを別々に成型した後に双方を接着するようにしたから、様々な形状のものを自由に組み合わせて種々の緑化ブロックを低コストで容易且つ短時間に製造できるようになる。
【発明を実施するための最良の形態】
【０００７】
本発明の緑化ブロックを構成するコンクリート材料としては、発泡コンクリート・アルミナセメント・ポルトランドセメントなどがあり、必要とする強度に応じてシリカヒュームやジルコニアを１〜３０重量部配合する。木質炭化物細片としては、竹炭・木炭・活性炭などがあり、炭入りコンクリートブロックには粒径１〜１０ｍｍの範囲の細片状のものが混入され、コンクリートブロックには粉体化したものを必要に応じて混入してもよい。
【０００８】
接着剤としては、アクリルフォーム・ウレタン樹脂・エポキシ樹脂・ポリエチレン・ポリスチレン・ポリ塩化ビニル・酢酸セルロース・フェノール樹脂・シリコーン樹脂・尿素樹脂・ラテックスフォームラバー・天然ゴム・合成エラストマー・エボナイト・ポリテトラフルオロエチレン等の軟質の発泡系樹脂のうち１種類が選択され、塗布量としては１００〜３０００ｇ／ｍ2 の範囲が実用的である。以下、本発明の実施例を図面に基づいて具体的に説明する。
【実施例１】
【０００９】
図１〜５に示す実施例は、建物の屋上に設置される緑化ブロックの製造方法の例である。図１は実施例の緑化ブロックの上面側の一部切欠斜視図、図２は実施例の緑化ブロックの下面側の一部切欠斜視図、図３は実施例の炭入りコンクリートブロックとコンクリートブロックの成型を示す説明図、図４は実施例の炭入りコンクリートブロックとコンクリートブロックの接着を示す説明図、図５は実施例の緑化ブロックに植栽した状態を示す説明図である。
【００１０】
図中、１は緑化ブロック、２は炭入りコンクリートブロック、２ａは凹所、２ｂは木質炭化物細片、２ｃはポルトランドセメント、２ｄは空隙、３はコンクリート材料、４は型枠、４ａは型押し盤、５はコンクリートブロック、５ａは排水溝、６はコンクリート材料、７は型枠、７ａは型押し盤、８は接着剤、Ｆは床パネル、Ｇは用土、Ｐは植物、Ｐａは根、Ｗは水である。
【００１１】
本実施例では、図３（ａ）に示すように１〜１０ｍｍの大きさの木質炭化物細片２ｂを０．７０ｋｇ，ポルトランドセメント２ｃを１．２５ｋｇ、水０．８０ｋｇを混練したコンクリート材料３を型枠４に注入して型押し盤４ａを被せ、型押し盤４ａの上面から２０秒間加圧振動をかけてコンクリート材料３を締め固め、所定時間を経て上面に凹所２ａを有する炭入りコンクートブロック２を成型する。この際、ポルトランドセメント２ｃにシリカヒューム・ジルコニアを必要とする強度に応じて所要量混合してもよい。
【００１２】
次に、図３（ｂ）に示すようにポルトランドセメント０．４ｋｇ，砂１．１８ｋｇ、水０．１５ｋｇを混練したコンクート材料６を底面に凹凸を有する型枠７に注入して型押し盤７ａを被せ、型押し盤７ａの上面から２０秒間加圧振動をかけてコンクート材料６を締め固め、所定時間を経て下面に通水した水Ｗを排水させる所定深さの排水溝５ａを備えたコンクリートブロック５を成型する。
【００１３】
このコンクリートブロック５の上面に図４に示すようにアクリルフォームからなる接着剤８を１０００ｇ／ｍ２塗布し、この塗布面に炭入りコンクリートブロック２の下面を貼り合わせて接着一体化し、硬化させて３００ｍｍ×３００ｍｍ×３０ｍｍの２層構造の緑化ブロック１を製造する。なお、接着する際は炭入りコンクリートブロック２の上面又はコンクリートブロック５の下面又は両面から加振して接着剤８の行き渡りや浸透を促進させてより強固に接着できるようにしてもよい。
【００１４】
このようにして製造した緑化ブロック１は、図１に示すように炭入りコンクリートブロック２には木質炭化物細片２ｂで適度な大きさの空隙２ｄが連続的且つ立体的に形成されており、この空隙２ｄに植物Ｐの根Ｐａが進入して着生されるのである。図２に示すコンクリートブロック５は連続的で微細な空隙が形成されており、水Ｗを通水させるが植物Ｐの根Ｐａは進入できず通水防根層となっている。
【００１５】
図５に示すように、複数の緑化ブロック１を建物の屋上の床パネルＦ上に隣接して配置し、多様な植物Ｐを用土Ｇを付着させたまま緑化ブロック１の凹所２ａに載置する。その後、植物Ｐに潅水すると、水Ｗは用土Ｇ及び炭入りコンクリートブロック２の木質炭化物細片２ｂに吸水されるとともに余剰分が空隙２ｄを通じてコンクリートブロック５へ通水し、さらにコンクリートブロック５内も通水して排水溝５ａから排水される。
【００１６】
植物Ｐは光合成により成長し、根Ｐａが伸びて炭入りコンクリートブロック２の空隙２ｄ内に進入して着生していく。水分は吸水した用土Ｇや木質炭化物細片２ｂから供給され、同時に木質炭化物細片２ｂに有する養分（Ｃａ，Ｋ，Ｍｇ，Ｎａ等）が滲出して供給される。余剰分の水Ｗは排水溝５ａで確実に排水され、湿気が過剰に滞留することなく根腐れを防止する。また、適度な保水性により温度上昇を抑え、屋上の環境も改善される。
【００１７】
図６に示すのは、実施例の緑化ブロックの他の例である。図６は実施例の他の例の緑化ブロックに植栽した状態を示す説明図である。図６に示す緑化ブロック１は、実施例のように凹所２ａを形成せずに平坦な形状としている。この炭入りコンクリートブロック２の上面全面に芝を植栽して芝生を形成している。その他、符号、構成、作用効果は実施例と同じである。
【００１８】
図７に示すのは、実施例の緑化ブロックの他の例である。図７は実施例の他の例の緑化ブロックに植栽した状態を示す説明図である。図中、２ｅはポット穴である。図７に示す緑化ブロック１は、実施例の凹所２ａに代えてポット穴２ｅを形成している。このポット穴２ｅにはポットから外した用土Ｇが付着したままの植物Ｐを直接植栽するが、ポットを取り付けたまま収容することもできる。その他、符号、構成、作用効果は実施例と同じである。
【００１９】
図８に示すのは、実施例の緑化ブロックの他の例である。図８は実施例の他の例の緑化ブロックの下面側の一部切欠斜視図である。図中、５ｂは凹所である。図８に示す緑化ブロック１は、排水溝５ａで囲まれた被設置面に排水溝５ａと同じ深さの凹所５ｂを形成し、被設置面の面積を低減して湿気の滞留をより抑制できるようにしている。その他、符号、構成、作用効果は実施例と同じである。
【産業上の利用可能性】
【００２０】
本発明で製造された緑化ブロックは、屋上・庭・歩道・法面・壁面・路側帯・車庫・私道・公園などに利用できる。
【図面の簡単な説明】
【００２１】
【図１】実施例の緑化ブロックの上面側の一部切欠斜視図である。
【図２】実施例の緑化ブロックの下面側の一部切欠斜視図である。
【図３】実施例の炭入りコンクリートブロックとコンクリートブロックの成型を示す説明図である。
【図４】実施例の炭入りコンクリートブロックとコンクリートブロックの接着を示す説明図である。
【図５】実施例の緑化ブロックに植栽した状態を示す説明図である。
【図６】実施例の他の例の緑化ブロックに植栽した状態を示す説明図である。
【図７】実施例の他の例の緑化ブロックに植栽した状態を示す説明図である。
【図８】実施例の他の例の緑化ブロックの下面側の一部切欠斜視図である。
【符号の説明】
【００２２】
１  緑化ブロック
２  炭入りコンクリートブロック
２ａ  凹所
２ｂ  木質炭化物細片
２ｃ  ポルトランドセメント
２ｄ  空隙
２ｅ  ポット穴
３  コンクリート材料
４  型枠
４ａ  型押し盤
５  コンクリートブロック
５ａ  排水溝
５ｂ  凹所
６  コンクリート材料
７  型枠
７ａ  型押し盤
８  接着剤
Ｆ  床パネル
Ｇ  用土
Ｐ  植物
Ｐａ  根
Ｗ  水
【図１】
2007222109.tif 000003
【図２】
2007222109.tif 000004
【図３】
2007222109.tif 000005
【図４】
2007222109.tif 000006
【図５】
2007222109.tif 000007
【図６】
2007222109.tif 000008
【図７】
2007222109.tif 000009
【図８】
2007222109.tif 000010